(57)【特許請求の範囲】
【請求項１】
注文者からの印刷注文に基づいて、メールアドレスを含む印刷内容データを作成する作成手段と、
前記印刷内容データを記録する記録手段と、
前記メールアドレス宛てに前記印刷内容データを送信する印刷内容送信手段と、
該送信が適切に行われなかった場合には、前記注文者からの情報に基づいて前記記録手段に記録されたメールアドレスを修正する修正手段と、
を備えた印刷内容確認システム。
【請求項２】
前記送信された印刷内容データに対する前記注文者からの修正指示に基づいて、前記記録手段に記録された印刷内容データを更新する更新手段を備えたことを特徴とする、請求項１に記載の印刷内容確認システム。
【請求項３】
コンピュータを、
注文者からの印刷注文に基づいて、メールアドレスを含む印刷内容データを作成し、
前記印刷内容データを記録手段に記録し、
前記メールアドレス宛てに前記印刷内容データを送信し、
前記送信が適切に行われなかった場合には、前記注文者からの情報に基づいて前記記録手段に記録されたメールアドレスを修正するように機能させるための印刷内容確認プログラム。
【請求項４】
コンピュータを、更に、前記送信された印刷内容データに対する前記注文者からの修正指示に基づいて、前記記録手段に記録された印刷内容データを更新するように機能させるための、請求項３に記載の印刷内容確認プログラム。
【発明の詳細な説明】
【０００１】
【発明の属する技術分野】
本発明は、印刷内容確認システム及び印刷内容確認プログラムに係り、特に、インターネットを介した印刷内容確認システム及び印刷内容確認プログラムに関する。
【０００２】
【従来の技術】
従来より、あいさつ状、名刺、写真入ポストカード等の印刷物製造時には、注文用紙に記入された顧客の個人情報（住所、氏名、電話番号、Ｅ−ｍａｉｌアドレス等）を目視またはスキャナで読み込んでパソコンに入力し、入力された文字データをそのままプリントに使用するか、あるいは、文字データを画像データに変換し、その他の画像データ（写真、テンプレート等）と合成してプリント出力することにより、印刷物が製造されている。
【０００３】
【発明が解決しようとする課題】
しかしながら、注文用紙に記入された顧客の個人情報には、文字の形状や顧客の筆跡等により文字の判断が難しいものが多く存在する。特に、Ｅ−ｍａｉｌアドレスでは、“−”と“＿”や、“・”と“．”などの類似の記号が使用され、さらに手書きの場合には、アルファベットの“ｎ”と“ｈ”の区別等、使用されている記号や文字の判断が難しく、正しいＥ−ｍａｉｌアドレスが入力されないケースが多発してしまう。そこで、注文用紙に記入された文字や記号の判断が難しい場合には、注文者へ電話での問い合わせが行われているが、電話での問い合わせには時間や労力がかかり、作業の効率が悪くなってしまうという問題がある。
【０００４】
また、写真入ポストカード等の印刷物では、写真や文字の配置や大きさなどのレイアウトについての、注文者のニーズは様々であるが、印刷物の完成見本の内容を注文者側でチェックして、写真や文字の配置や大きさなどについての微細な修正をするという作業は行われていない、という問題があった。
【０００５】
本発明は、上述した問題点を解消するためになされたものであり、印刷物の完成見本の内容を簡易に確認し、修正することの可能な印刷内容確認システム、及び印刷内容確認プログラムを提供することを目的とする。
【０００６】
【課題を解決するための手段】
上述した問題点を解消するために、第１の発明の印刷内容確認システムは、注文者からの印刷注文に基づいて印刷のレイアウト表示を含む印刷内容データを作成する作成手段と、前記印刷内容データを記録する記録手段と、前記印刷内容データをインターネットを介して前記注文者に対して送信する印刷内容送信手段と、前記送信された印刷内容データに対する前記注文者からの修正指示に基づいて、前記記録手段に記録された印刷内容データを更新する更新手段と、を含んで構成されている。
【０００７】
また、第３の発明の印刷内容確認プログラムは、コンピュータを、注文者からの印刷注文に基づいてメールアドレスを含む印刷内容データを作成し、前記印刷内容データを記録手段に記録し、前記印刷内容データをインターネットを介して前記注文者に対して送信し、前記送信された印刷内容データに対する前記注文者からの修正指示に基づいて、前記記録された印刷内容データを更新するように機能させるものである。
【０００８】
第１の発明の印刷内容確認システム及び第３の発明の印刷内容確認プログラムによれば、注文者からの印刷注文に基づいて、印刷のレイアウトを含んだ、文字、画像、枚数等の印刷内容に関する印刷内容データが作成されると共に該印刷内容データがサーバ等に記録される。ここで、注文者からの印刷注文はインターネットを介して行われる場合や、申込書等の書面を介して行われる場合が含まれる。印刷注文がインターネットを介して行われる場合には、受信した注文データに基づいて自動的に印刷内容データが作成され、申込書等の書面を介して行われる場合には、書面に記載された内容が入力されて、入力された内容に基づいて印刷内容データが作成される。そして、インターネットを介して、印刷内容データが注文者に対して送信され、注文者は、送信された印刷内容データの内容を確認して印刷される文字やレイアウトの修正の指示を出す。注文者からの修正指示に基づいて記録された印刷内容データは自動的に更新されるので、修正のための時間や労力を軽減することができると共に、注文者が印刷のレイアウト表示を確認及び修正することができるので、注文者のニーズに適応した印刷を行うことができる。
【０００９】
また、第１の発明の印刷内容確認システムは、前記印刷内容データがメールアドレスを含み、前記印刷内容送信手段は該メールアドレス宛てに送信を行い、該送信が適切に行われなかった場合には、注文者からの情報に基づいてメールアドレスを修正する修正手段を更に含んで構成することもできる。
【００１０】
また、第３の発明の印刷内容確認プログラムは、前記印刷内容データがメールアドレスを含み、前記送信は該メールアドレス宛てに行われ、該送信が適切に行われなかった場合には、前記注文者からの情報に基づいて前記メールアドレスを修正することもできる。
【００１１】
本印刷内容確認システム及び印刷内容確認プログラムによれば、印刷される内容として印刷内容データにメールアドレスが含まれており、このメールアドレス宛てに印刷内容データが送信され、その結果、ｕｎｋｎｏｗｎ  ｕｓｅｒ等により送信が適切に行われなかった場合には、印刷内容データのメールアドレスが誤っていることが判明し、誤りの判明したメールアドレスを、注文者の入力データ、申込書、電話による問い合わせの回答等の注文者からの情報に基づいて修正するので、メールアドレスの誤りを容易に発見、修正することができ、文字誤りの印刷を防止することができる。
【００１２】
第２の発明の印刷内容確認システムは、注文者からの印刷注文に基づいてメールアドレスを含む印刷内容データを作成する作成手段と、前記印刷内容データを記録する記録手段と、前記メールアドレス宛てに前記印刷内容データを送信する印刷内容送信手段と、該送信が適切に行われなかった場合には、前記注文者からの情報に基づいて前記記録手段に記録されたメールアドレスを修正する修正手段と、を含んで構成されている。
【００１３】
また、第４の発明の印刷内容確認プログラムは、コンピュータを、注文者からの印刷注文に基づいてメールアドレスを含む印刷内容データを作成し、前記印刷内容データを前記記録手段に記録し、前記メールアドレス宛てに前記印刷内容データを送信し、前記送信が適切に行われなかった場合には、前記注文者からの情報に基づいて前記記録手段に記録されたメールアドレスを修正するように機能させるものである。
【００１４】
第２の発明の印刷内容確認システム及び第４の発明の印刷内容確認プログラムによれば、注文者からの印刷注文に基づいてメールアドレスを含む印刷内容データを作成すると共に、この印刷内容データを記録手段に記録し、インターネットを介して注文者に記録手段に記録されたメールアドレス宛てに前記印刷内容データを送信する。この送信がｕｎｋｎｏｗｎ  ｕｓｅｒ等により適切に行われなかった場合には、前記印刷内容データのメールアドレスが誤っていることが判明し、誤りの判明したメールアドレスを、注文者の入力データ、申込書、電話による問い合わせの回答等の注文者からの情報に基づいて修正するので、メールアドレスの誤りを容易に発見、修正することができ、文字誤りの印刷を防止することができる。
【００１５】
【発明の実施の形態】
（第１の実施の形態）
以下、本発明に係る印刷内容確認システムおよび印刷内容確認プログラムについて図面を参照しながら詳細に説明する。
【００１６】
本実施の形態の印刷内容確認システムは、図１に示すように、印刷会社コンピュータ１０、インターネット１８、プロバイダのサーバ２０、及び注文者のパーソナルコンピュータ（以下「パソコン」という）２２を含んで構成されている。印刷会社コンピュータ１０には、受注した内容を入力するためのプリント注文入力部１２、入力した内容をプリント出力するプリンター１４及び注文内容その他の顧客情報を記録、管理するサーバ１６が接続されている。
【００１７】
サーバ１６には、図２に示すように、受注データファイル１０２、文字内容データファイル１０４、文字レイアウトファイル１０６、画像レイアウトファイル１０８、受注のお知らせファイル１１０、確認済み回答ファイル１１２、及び最終文字画像ファイル１１４等の各種ファイルを記録したデータベースが格納されている。受注データファイル１０２には、受注したプリントの、注文番号、料金支払方法、取扱い店舗、注文商品、枚数、代金、印刷される文字等を含む受注データが記録される。文字内容データファイル１０４には、受注データに基づいた印刷に使用される文字内容（例えば、住所、氏名、電話番号、Ｅ−ｍａｉｌアドレス等）に関する文字内容データが記録されている。文字レイアウトファイル１０６には、文字内容データに基づいて作成された、文字レイアウトデータが記録されている。
【００１８】
ここで作成される文字のレイアウトは、印刷会社コンピュータ１０の図示しない記録部に予め記録されている文字レイアウト作成プログラムにより自動的に作成されるものであり、郵便番号、住所、氏名数、年齢表示の有無、電話番号等の複数情報に基づいて、文字エリアに合うように作成されている。例えば、名前の数に応じて文字全体の配列が変更される処理が行われ、住所が２行以上ある場合には、文字フォントサイズを小さくする処理が行われる。また、名前の後に入る旧姓／年齢等の文字が存在するときには、名前の文字列と旧姓／年齢等の文字列が重ならないように、名前の文字列をずらす処理が行われ、名前が５人以上の場合には文字のエリアオーバーを防ぐために、旧姓／年齢等が名前の文字列の下に配置される処理が行われる。また、縦書きのレイアウトイメージの場合、算用数字（半角・全角）は、全角文字の漢数字に変換する処理が行われ（例えば、１０才の場合には十才に変更される）たり、カタカナ（半角）は全角カタカナ文字に変換する処理が行われる。
【００１９】
画像レイアウトファイル１０８には、印刷に使用される写真などの画像データが記録されている。受注報告ファイル１１０には、注文者に受注した旨とその内容を連絡するための受注報告データが記録されている。確認済み回答ファイル１１２には、注文者から印刷の内容を確認した旨の回答についての確認済み回答データが記録されている。最終文字画像を作成するための最終文字画像ファイル１１４には、最終文字画像を作成するための画像データ、文字画像データ、文字データ、文字サイズデータ、文字レイアウト位置データが記録されている。なお、画像データとしては、ＢＭＰ、ＪＰＥＧ、ＴＩＦＦ、ＥＰＳ、ＰＤＦ等の形式のデータを記録することができ、文字画像データとしては、テキスト文字（カンマ区切りＣＳＶ、ＴＥＸＴ等）、バイナリ文字（ワープロデータ、構造体ファイル等）等を記録することができる。
【００２０】
サーバ１６は、インターネット１８と、図示しないモデム、ルータ、ＴＡ（Terminal Adapter）等の接続手段を介して接続されている。
【００２１】
インターネット１８に接続するための窓口となるプロバイダのサーバ２０、及び注文顧客のパソコン２２が、インターネット１８と、図示しないモデム、ルータ、ＴＡ（Terminal Adapter）等の接続手段を介して接続されている。
サーバ１６とパソコン２２とは、インターネット１８を介した相互通信によって、それぞれＷＷＷ（World Wide Web）サーバ、ＷＷＷクライアントとして機能するようになっている。
すなわち、パソコン２２には、ＷＷＷブラウザがインストールされており、このＷＷＷブラウザを起動することにより、インターネット１８を介してサーバ１６にアクセス可能となる。
サーバ１６は、パソコン２２からアクセス要求があった場合、ＵＲＬで指定された位置にあるデータを、インターネット１８を介して、アクセス元のパソコン２２へ送信する。
パソコン２２は、サーバ１６から送信されてきたデータをＷＷＷブラウザによって、当該パソコン２２に備えられているディスプレイに表示する（所謂ホームページやＷＥＢページが表示される）。また、パソコン２２は、ユーザによって、パソコン２２に備えられているマウスやキーボードが操作されることにより入力された各種指示やデータをアクセス先のサーバ１２へ送信する。
このようなインターネット１８を介した通信によって、サーバ１６は、プリントを注文するためのホームページのデータをパソコン２２に送信し、パソコン２２からの注文データを受信するようになっている。
【００２２】
次に、本発明に係るプリント内容確認プログラムおよびプリント内容確認システムでのプリント内容確認手順について説明する。
【００２３】
注文者は、パソコン２２のディスプレイに表示された印刷会社のプリント申し込み用ホームページから、プリントの内容、枚数等の必要項目を含んだ注文データを入力し、インターネット１８を介して印刷会社にこの注文データを送信する。注文データが送信されると、印刷会社のサーバ１６によって、図３に示す受注お知らせ処理が開始される。
【００２４】
ステップ３０で注文データが受信され、ステップ３２で受信された注文データに基づいて、印刷内容データとしての、受注データ、文字内容データ、文字レイアウト、及び受注報告が作成される。ステップ３４で、受注データ、文字内容データ、文字レイアウト、受注報告、及び注文者から受信した写真などの画像データがそれぞれ、記録手段としての、受注データファイル１０２、文字内容データファイル１０４、文字レイアウトファイル１０６、受注報告ファイル１１０、及び画像データファイル１０８に登録される。ステップ３６で、注文の行われたＥ−ｍａｉｌアドレスに、図５に示す受注報告が送信される。受注報告には、図５に示すように、印刷内容に関するデータが格納されているサーバ１６の修正用ホームページにアクセスするためのアドレス、注文番号、注文日時、注文者の氏名、電話番号、Ｅ−ｍａｉｌアドレス、支払方法、受取店舗、注文商品名、枚数、商品代金などの情報が含まれている。
【００２５】
本処理によれば、自動的に、受注データ、印刷される文字内容データ、文字レイアウト、受注報告を作成することができ、また、自動的に注文者に受注した旨及び受注の内容を確認するための受注報告を送信することができる。
【００２６】
なお、本処理では、注文の行われたＥ−ｍａｉｌアドレス宛てに受注報告が送信されたが、印刷内容データの中にＥ−ｍａｉｌアドレスがある場合には、このＥ−ｍａｉｌアドレス宛てに受注報告を送信することもできる。この場合は、図４に示すように、ステップ３４で各データが登録された後に、ステップ３５で印刷内容データの中にＥ−ｍａｉｌアドレスがあるかどうかを判断する。印刷内容データの中にＥ−ｍａｉｌアドレスがある場合には、ステップ３６−２で、印刷内容データ中のＥ−ｍａｉｌアドレスをクリックする等の方法で印刷内容データ中のＥ−ｍａｉｌアドレスデータを使って、このＥ−ｍａｉｌアドレス宛てに自動的に受注報告を送信する。ステップ３７で、Ｅ−ｍａｉｌアドレスにプロバイダを介して受注報告が送信されたかどうかを判断する。ここで、送信がＯＫであれば、印刷内容データのＥ−ｍａｉｌアドレスが正しいことが確認でき、ｕｎｋｎｏｗｎ  ｕｓｅｒで送信できなかった場合には、印刷内容データのＥ−ｍａｉｌアドレスは誤っていることが確認できる。そこで、送信がＯＫでなければ、注文者にから送信されたＥ−ｍａｉｌアドレスを確認したり、更に、電話等で注文者に問い合わせをする等により確認して、正しいＥ−ｍａｉｌアドレスを入力し、ステップ３８で、この入力に基づいてＥ−ｍａｉｌアドレスを修正し、ステップ３６−２に戻って再度修正後のＥ−ｍａｉｌアドレス宛てに受注報告を送信する。
【００２７】
送信がＯＫであれば本処理を終了する。また、印刷内容データの中にＥ−ｍａｉｌアドレスがない場合には、ステップ３６−１で、注文を受けたＥ−ｍａｉｌアドレス宛てに受注報告を送信し、本処理を終了する。
【００２８】
本処理によれば、印刷内容データの中のＥ−ｍａｉｌアドレスを使用して、自動的にこのＥ−ｍａｉｌアドレス宛てに受注報告を送信し、Ｅ−ｍａｉｌアドレスの正誤を判断するので、簡易な方法でＥ−ｍａｉｌアドレスの正誤を判断できる。
【００２９】
一方、注文者側では図７に示す手順で注文内容の確認が行われる。手順４０でパソコン２２により受注報告を受信し、手順４２で注文者により受注報告の内容が確認される。手順４４で、印刷会社の修正用ホームページのアドレスにアクセスされると、サーバ１６に記録されている該当する修正用のデータが注文者に送信されて、図６に示す文字修正画面が注文者のパソコン２２に表示される。文字修正画面には、図６に示すように、注文した印刷レイアウトのタイプ、縦／横の区別、氏名配列、書体、郵便番号、住所、電話等、ルビ、Ｅ−ｍａｉｌ等、レイアウト確認の有無、項目内容、旧姓／年齢の区別、などが表示されたウインドウ、及び登録、訂正、削除等を実行するためのボタン、その他の情報が配置されている。
【００３０】
手順４６で、注文者によって文字修正画面に表示された印刷内容が確認され、手順４８で文字の修正（登録、訂正、削除）があるかどうかを判断する。文字の修正がない場合には、手順５６へ進む。文字の修正がある場合には、手順５０で文字の修正が行われる。文字の修正は、注文者が登録、訂正、削除のいずれかのボタンをクリックすることにより処理の内容を選択し、修正を希望する項目のウインドウに、図示しないマウスやキーボードから修正内容を入力することにより行う。修正が完了していない場合には、手順５２で実行ボタンがクリックされず、手順５０に戻って引き続き修正が行われる。修正を希望したすべての項目の修正が完了した場合には、手順５２で、注文者によって実行ボタンがクリックされて、手順５４でｗｅｂ上に文字の修正事項が登録される。
【００３１】
手順５６で、図示しないレイアウトイメージ表示ボタンがクリックされることにより、図８（Ａ）に示す、プリントのレイアウトイメージが表示される。図８（Ａ）に示す例は、家族５人で年齢表示が３つの場合であるが、この場合には図示されたレイアウトイメージが自動的に設定されている。
【００３２】
手順５８で、注文者によってレイアウトイメージが確認され、手順６０でレイアウトイメージの修正があるかどうかを判断する。修正がない場合には、手順７０で印刷会社に確認済みの回答が送信されて、本処理を終了する。修正がある場合には、手順６２でレイアウトイメージで使用されている文字サイズ、フォント及び文字位置の修正を行う。レイアウトイメージで使用されている文字サイズ、フォント及び文字位置の修正は、注文者が修正を希望する文字列をクリックして反転させ、図示しないマウスやキーボードから操作、入力することにより行う。図８に示す例では、（Ａ）の３人の名前の文字列、花子、聖也、愛也、及び年齢の文字列（７才）を（Ｂ）に示す位置に移動させ、２箇所に表示された（５ケ月双子）の文字列の一方を削除すると共に、他方の表示を（Ｂ）に示す位置に移動させて、注文者の希望するレイアウトイメージになるように修正されている。
【００３３】
レイアウトイメージの修正が完了した場合には、手順６４で注文者によって実行ボタンがクリックされ、手順６６で修正後のレイアウトイメージがｗｅｂ上に登録される。そして、手順６８で、注文者により図示しない更新ボタンがクリックされることにより、印刷会社のサーバ１６内の該当するデータが手順５４及び６６でｗｅｂ上に登録された修正後の内容に更新されると共に、手順７０で印刷会社に確認済みの回答が送信されて本処理を終了する。
【００３４】
本処理によれば、注文者が印刷会社のサーバ１６内に記録された該当する文字内容データ、文字レイアウト等を、注文者のパソコンの画面に表示することができるので、発注したプリントの文字内容やレイアウトイメージを容易に確認することができる。また、印刷会社のサーバ１６内に記録された該当する文字内容データ、文字レイアウト等を、注文者が自分のパソコン上で直接修正することができるので、注文者の好みにあった文字内容やレイアウトに修正することができる。また、修正した内容が送信されることにより、自動的にサーバ１６内の該当する文字内容データ、文字レイアウトが更新されるので、印刷会社での修正作業のための時間や労力が軽減される。
【００３５】
注文者から確認済みの回答が送信されると、印刷会社のサーバ１６では、図９に示す最終文字画像作成処理が開始される。
【００３６】
ステップ８０で、注文者からの確認済み回答が受信され、ステップ８２で文字のチェックが行われる。文字のチェックは、あらかじめ登録された文字チェックプログラムに基づいて、間違い易い文字、記号、その他の事項がチェックされる。ステップ８４で、文字チェック結果に基づいて、文字の修正が必要かどうかが判断され、文字の修正が必要ない場合にはステップ８８へ進む。文字の修正が必要な場合には、ステップ８６で、文字の修正が行われる。ステップ８８で、あらかじめ登録されたレイアウトチェックプログラムに基づいてレイアウトチェックが行われると共に、印刷部１４から印刷見本が出力され、この印刷見本に基づいて作業者によりレイアウトに不具合がないかどうかがチェックされる。ステップ９０で、レイアウトチェック結果に基づいて、レイアウトの修正が必要かどうかが判断され、レイアウトの修正が必要ない場合にはステップ９４へ進む。レイアウトの修正が必要な場合には、レイアウトの修正が行われる。そして、ステップ９４で最終文字画像を作成するための最終文字画像ファイルに出力されて、本処理を終了する。
【００３７】
本処理によれば、注文者からの確認済みの回答、及び注文者よって修正された文字内容データ及び文字レイアウトをさらにチェックして、印刷が行われる前の最終文字画像を作成するので、文字誤りが防止されたより精度の高いプリントを出力することができる。
【００３８】
（第２の実施の形態）
次に、本発明の他の実施の形態について説明する。なお、本実施の形態のシステムの構成については、第１の実施の形態と同一であるため詳細な説明は省略する。
【００３９】
本実施の形態では、プリントの申し込みは、注文書に注文内容を記入して各プリント取扱店に注文書を提出することにより行う。図１０に、ポストカードのプリントの注文書の例を示す。注文書には、注文タイプ番号、注文枚数、注文原版の種類、注文コマＮｏ、はがきの種類等の注文内容と、住所、氏名、電話番号、Ｅ−ｍａｉｌアドレス等の印刷内容等の必要事項が注文者によって記入され、取扱店に提出される。
【００４０】
提出された申込書の内容が、プリント注文入力部１２から入力される。入力は、申込書を作業者が読み取ってキーボードから入力する方法、ＯＣＲによって申込書を読み取って自動的に文字変換して入力する方法、作業者が音声により申込書を読み上げて入力する方法等があるが、本実施の形態では、申込書を作業者が読み取ってキーボードから入力する方法を採ることとする。申込書の入力が完了すると、図１１に示すＥ−ｍａｉｌ確認処理が開始される。
【００４１】
ステップ１２０で、入力された情報に基づいて受注データ、文字内容データ、文字レイアウト、及び受注報告が作成される。ステップ１２２で、受注データ、文字内容データ、文字レイアウト、受注報告、及び注文者から預かった写真のネガフィルムからの画像データがそれぞれ、受注データファイル１０２、文字内容データファイル１０４、文字レイアウトファイル１０６、受注報告ファイル１１０、及び画像データファイル１０８に登録される。ステップ１２４で、受注データの中に注文者のＥ−ｍａｉｌアドレスがあるかどうかを判断する。注文者のＥ−ｍａｉｌアドレスがない場合には、本処理を終了する。
【００４２】
注文者のＥ−ｍａｉｌアドレスがある場合には、ステップ１２６で、入力された注文者のＥ−ｍａｉｌアドレスに、受注報告を送信する。ステップ１２８で、注文者のＥ−ｍａｉｌアドレスにプロバイダを介して受注報告が送信されたかどうかを判断する。すなわち、Ｅ−ｍａｉｌアドレスには“−”（ハイフン）、“＿”（アンダーバー）などの紛らわしい記号が使用されており、入力の際に誤って入力される確率が高い。そこで、実際に入力された注文者のＥ−ｍａｉｌアドレスに受注報告を送信して、送信がＯＫであれば、注文者のＥ−ｍａｉｌアドレスは正しく入力されていることが確認でき、ｕｎｋｎｏｗｎ  ｕｓｅｒで送信できなかった場合には、入力されたＥ−ｍａｉｌアドレスは誤っていることが確認できる。送信できなかった場合には、ステップ１３０で、Ｅ−ｍａｉｌアドレスを修正して、ステップ１２６に戻り、上記の処理を繰り返す。送信がＯＫだった場合には、本処理を終了する。
【００４３】
本処理によれば、入力されたＥ−ｍａｉｌアドレスに受注報告を送信するので、注文者に受注した旨及び受注の内容を確認するための受注報告を送信することができる一方、入力したＥ−ｍａｉｌアドレスが正しいかどうかを容易に確認することができる。
【００４４】
注文者側での注文内容の確認手順、及び注文者からの確認済みの回答を受信し印刷会社のサーバ１６で最終文字画像作成処理については、第１の実施の形態と同様であるためここでは説明を省略する。
【００４５】
本実施の形態によっても、注文者からの確認済みの回答、及び注文者よって修正された文字内容データ及び文字レイアウトをさらにチェックして、印刷が行われる前の最終文字画像を作成するので、文字誤りが防止されたより精度の高いプリントを出力することができる。
【００４６】
【発明の効果】
以上説明したように、第１の発明の印刷内容確認システム及び第３の発明の印刷内容確認プログラムによれば、注文者からの印刷注文に基づいて、印刷のレイアウトを含んだ、文字、画像、枚数等の印刷内容に関する印刷内容データが作成されると共に該印刷内容データがサーバ等に記録される。そして、インターネットを介して、印刷内容データが注文者に対して送信され、注文者は、送信された印刷内容データの内容を確認して印刷される文字やレイアウトの修正の指示を出す。注文者からの修正指示に基づいて記録された印刷内容データは自動的に更新されるので、修正のための時間や労力を軽減することができると共に、注文者が印刷のレイアウト表示を確認及び修正することができるので、注文者のニーズに適応した印刷を行うことができる、という効果が得られる。
【００４７】
また、第２の発明の印刷内容確認システム及び第４の発明の印刷内容確認プログラムによれば、注文者からの印刷注文に基づいてメールアドレスを含む印刷内容データを作成すると共に、この印刷内容データを記録手段に記録し、注文者にインターネットを介して記録手段に記録されたメールアドレス宛てに前記印刷内容データを送信する。この送信がｕｎｋｎｏｗｎ  ｕｓｅｒ等により適切に行われなかった場合には、前記印刷内容データのメールアドレスが誤っていることが判明し、誤りの判明したメールアドレスを、注文者の入力データ、申込書、電話による問い合わせの回答等の注文者からの情報に基づいて修正するので、メールアドレスの誤りを容易に発見、修正することができ、文字誤りの印刷を防止することができる、という効果が得られる。
【図面の簡単な説明】
【図１】本実施の形態に係るネットワークシステムの概略図である。
【図２】サーバに記録されているデータベースの慨略図である。
【図３】受注のお知らせ処理のフローチャート図である。
【図４】受注のお知らせ処理の他のフローチャート図である。
【図５】受注報告のパソコンの画面上への表示例である。
【図６】文字データの修正画面例である。
【図７】プリント内容確認処理のフローチャート図である。
【図８】（Ａ）は修正前の文字レイアウト表示例であり、（Ｂ）は修正後の文字レイアウト表示例である。
【図９】最終文字画像作成処理のフローチャート図である。
【図１０】第２の実施の形態に係る申込書の例である。
【図１１】第２の実施の形態のＥ−ｍａｉｌ確認処理のフローチャート図である。
【符号の説明】
１０  印刷会社コンピュータ
１２  プリント注文入力部
１４  プリンター
１６  サーバ
１８  インターネット
２２  パソコン
３２  各データ作成処理（作成手段）
３４  登録処理
３６  受注報告送信処理
４４  文字修正画面表示処理（印刷内容送信手段）
５０  修正処理（更新手段）
５６  レイアウトイメージ表示処理（印刷内容送信手段）
６２  修正処理（更新手段）
６８  送信処理（更新手段）
１０４  文字内容データ（印刷内容データ）
１０６  文字レイアウトデータ（印刷内容データ）
１０８  画像データ（印刷内容データ）
１１０  受注報告データ
【図１】
0004524450.tif 000002
【図２】
0004524450.tif 000003
【図３】
0004524450.tif 000004
【図４】
0004524450.tif 000005
【図５】
0004524450.tif 000006
【図６】
0004524450.tif 000007
【図７】
0004524450.tif 000008
【図８】
0004524450.tif 000009
【図９】
0004524450.tif 000010
【図１０】
0004524450.tif 000011
【図１１】
0004524450.tif 000012